(57)【特許請求の範囲】
【請求項１】
演習者７がダンス練習することができる練習場１と、
ダンス教習映像を投影するためのプロジェクター４と、
前記プロジェクター４が投影する等身大のダンス教習映像８ｂを結像するために、練習場１の一端側に配したスクリーン３を含み、
前記スクリーン３と対向する練習場１の他端側に、演習者７の演習姿７ａと等身大のダンス教習映像を同時に映すことができる大きさの大型鏡２を配し、
演習者７は、前記大型鏡２に映った、演習者７の演習姿７ａと等身大の前記ダンス教習映像８ｂを同時に視聴できるように構成する
ことを特徴とするスクリーンダンス練習場システム。
【請求項２】
前記スクリーンの大きさを前記大型鏡２より大きく構成し、前記プロジェクター４で舞台、舞蹈場、浜辺、パーティ場所などの、趣向によって選択しうる背景場面を背景にしたダンス教習画面を、前記ダンス教習映像８ｂとともに投影し、
これを前面の大型鏡２に映すようにすることで、演習者７はまるで実際と同じような仮想現場効果を背景として使用することができる
ことを特徴とする請求項１に記載のスクリーンダンス練習場システム。
【請求項３】
前記練習場１の内部に照明ランプ１３を具備し、
これを音響センサー１３ａと連結し、
音楽拍子に従って照明ランプ１３の照明が変化するようにして前記大型鏡２に映すように構成する
ことを特徴とする請求項１又は２に記載のスクリーンダンス練習場システム。
【発明の詳細な説明】
【技術分野】
【０００１】
本発明は、個人がダンス映像を見ながらダンスを練習することができる映像ダンス練習場システムのうちで、特にスクリーン映像と鏡映像による個人ダンス練習場に関するものである。
【背景技術】
【０００２】
従来のダンス演習装置らは、主にステップを利用したゲーム装置に関するものとして伝統的なダンスを教習するか、または練習することができるシステムらではない。ダンスはスポーツダンス、放送ダンス、社交ダンスなどでその種類も多様で、楽しく全身で運動することができる有酸素運動であり、現代人に必須な教養要素でもあり、重要な健康運動として目立っている。このようなダンスは多くの演習があれば熟練することができるし、通常従来はダンス講習所で一人の教師が複数の演習者らを一定な時間に団体的に教習をする不便さがある。つまり、そこには教師がいなければならないし、個人の水準差があっても指定されたプログラムによって画一的に団体教育しなければならない不便さがある。さらに、教師は演習者らと左右方向を合わせなければならないので、受講者らと見合わせることができずに後姿で教育しなければならない不便さがあった。
【発明の概要】
【発明が解決しようとする課題】
【０００３】
本発明は、個人が練習することができる空間に個人が必要な時間に自由に練習することができるし、教師なしも大型スクリーンで実際のように練習することができることが特徴であり、ひとりひとりの進度によって映像と音響を選択して演習が可能であり、新しい流行のダンスを随時に映像と音楽で提供を受けることができるし、まるで舞台のような背景を現出して現場のリアル感を増大する個人映像ダンス練習場システムを提供することにある。
【課題を解決するための手段】
【０００４】
本発明は、図１のようにダンス練習場構造において、個人が練習することができる構造にスクリーン映像を見ながらダンスの演習ができるように映像保存装置５と大型のスクリーン映像装置８が具備された練習場１を具備する。映像保存装置５は多様なダンス教習映像と音響を入力または保存して、これを演習者の水準と趣向によってコントロールボックス１１を操作することによって選択するようにしてある。映像保存装置５の映像に背景映像を含ませるときのその背景映像は舞台、ステージのような現場背景を入れて、このような映像は大型スクリーンと大型鏡によって現出するようにする。練習場１の内部には映像保存装置５とスピーカーが具備された音響装置６を設ける。演習者７は演習者自身の演習動作とスクリーン映像の左右が合うように映像の左右が反転補正されたスクリーンまたはスクリーン映像装置８の映像を一つの鏡２で同時に見ながらダンス演習ができることを特徴とする映像ダンス練習場である。
【発明の効果】
【０００５】
このような本発明は、図１のようにスクリーン映像装置８で提供するダンス映像がダンス講師のような大きさで大型画面に提供して、演習者７の前面に具備された大型鏡２に自身の鏡像とスクリーン映像装置８で提示するダンス教習映像を、さらに音響を、同時に視聴しながら練習することができるので、実際の教師が教習することのような効果がある。鏡２に映った演習者自身の動作姿と鏡に映ったスクリーンまたはスクリーン映像装置８の映像の左右が等しくて、鏡２に映った映像に合わせて演習者７が従うことがとても易しいという長所がある。映像保存装置５に保存された多様な演習プログラム中から任意のものをコントロールボックス１１の操作で選択して使用することができる。さらに、新しい映像を、映像保存装置を通じて保存して随時に提供することができる。映像保存装置５に保存された映像は超大型スクリーン画面と超大型鏡２とステージ、舞台等の背景等があるダンス教習映像効果はまるで演習者にとって舞台等の現場にあることのような効果がある。演習者７個人が便利な時間に教師なしに多様なダンス教習プログラムを選択して教習を受けることができるし、演習者７ひとりひとりの上逹基準に合わせて多様なプログラムを選択練習することができるという効果がある。
【図面の簡単な説明】
【０００６】
【図１】本発明が構成された練習場の説明図である。
【図２】映像保存装置の実施例の構成説明図である。
【図３】（ａ）はスクリーン映像装置の映像ボックス説明図であり、（ｂ）は映像ボックスの断面構造説明図である。
【図４】コントロールボックスの構成説明図である。
【図５】練習場の実施例の説明図である。
【図６】（ａ）は鏡とスクリーン映像装置の構成説明図であり、（ｂ）は従来鏡の構成説明図である。
【図７】キオスクの外形説明図である。
【図８】（ａ）は透過スクリーン映像装置の上下結合構成説明図であり、（ｂ）は平面スクリーン構造の上下結合構成説明図である。
【発明を実施するための形態】
【０００７】
本発明に係るスクリーンダンス練習場システムの構成は、図１及び図２のように演習者７ひとりひとりが練習することができる練習場１と、練習場１内部の全面積を映すことができる大型の鏡２と、映像保存装置５と、映像保存装置５から出力される映像を透写するためのプロジェクター４と、プロジェクター４の映像を結像するための大型のスクリーン３及びＬＣＤ(liquid crystal display)、ＰＤＰ(plasma display panel)のように平面スクリーンで構成されたスクリーン映像装置８と、映像保存装置５から出力される音響信号を増幅するためのスピーカーと音響増幅装置で構成された音響装置６と、映像保存装置５をコントロールするためのコントロールボックス１１と、映像の左右反転をするためのミラー(MIRROR)バージョンを具備した左右反転装置１０と、で構成する。
【０００８】
（映像保存装置）
映像保存装置５は、ＶＯＤ(Video on Demand)、セットトップボックスなどで構成する。ＶＯＤ(Video on Demand)を利用した映像保存装置５は、映像と音響データの保存が可能なセットトップボックスを構成して、提供を受けたダンス教習映像と音響を音楽単位でのＶＯＤで構成して、これを通信接続またはメモリーによる入力でハードディスクに保存してから、ハードディスクに保存されたダンス教習映像を使用者がコントロールボックス１１で選択するようにする。また、公知のブルーレイなどのブルーレイプレーヤーで映像保存装置５を構成することができるし、この場合には左右反転装置１０が付加されなければならないし、ＣＤ(COMPACT DISC)などであらかじめダンス教習映像を作って演習者７はこれを選択して使えば良い。コントロールボックス１１には保存された映像の左右を変えてくれるプログラムを内蔵してスクリーン映像の左右を必要によって変えてくれることができるように左右反転装置１０を具備させる。なお、セットトップボックスは映像保存装置５とは別体に構成し、両者を結合させるようにしてもよい。
【０００９】
図２は、映像保存装置５構成の実例である。別途のケース内部にネットワークインターフェース部５１を具備させて通信接続する。またはメモリー入力して、メモリー５２、ＣＰＵ５３、ＭＰＥＧデコーダ５４を設け、さらにキー入力部５５とリモコン受信部５６を設ける。リモコン受信部５６にはコントロールボックス１１のリモコン受信を受けられるようにし、出力部にはビデオ出力部５７とオーディオ出力部５８を設ける。ビデオ出力部５７はスクリーン映像装置８と連結し、オーディオ出力部５８は音響装置６と連結する。このようなＶＯＤはビデオサーバーから、サービスメニュー選択に関するデータが供給され、セットトップボックスで映像処理された後にスクリーン映像装置８で画面出力される。音響出力はアンプとスピーカーで構成された音響装置６によって出力される。
【００１０】
映像保存装置５のまた一つの構成方法は、デジタル映像及び音響データを使用するミディ(ＭＩＤＩ;Musical Instrument Digital Interface)規格による音楽データ及び映像データをデータ形態で保存し、曲（音響）選定によって該当音楽データ及び映像データを抽出し、音楽データは音源処理器を通じてオーディオ信号で再生させて音響装置６で出力させるとともに、映像データを出力させプロジェクター４またはスクリーン映像装置８に表示させる。
【００１１】
前記のような装置は、図２のようにビデオ出力部５７とコントロールボックス１１との間に左右反転装置１０を具備することを特徴とする。左右反転装置１０とは、左から右に走査する映像の走査方向をミラー(mirror)効果のように右から左に走査させることにより左右を反転させる装置である。左右反転装置１０の左右反転機能はコントロールボックス１１の操作によるスイッチ転換方法またはプログラムによって切り替えることができる。
【００１２】
前記のような映像保存装置５は別にボックス化することができる。また、映像保存装置５内部に音響を増幅することができる音響装置６構造を結合構成するか、または別に分離構成することができる。映像保存装置５は、前記のように多様な技術的方法で多様なダンス教習映像とこれに該当する音楽を共に入力または保存して、これを演習者７の水準と趣向によってコントロールボックス１１の操作によって選択、提供するようにするものである。
【００１３】
（コントロールボックス）
コントロールボックス１１は、図４のように映像保存装置５をon-offすることができるスイッチ１１Ｇを備える一つのボックス構造を基本とする。さらには、ダンスリストを番号で指定することができる番号キー１１ｆと選択キー１１ａ、ダンス練習曲のリストと番号をひと目で見られる複数のリスト読みキー１１ｂと、これらを選択予約するための予約キー１１ｃと、選択したダンス曲のテンポを早くまたは遅く調整するテンポ調整キー１１ｄと、音響の音を調整することができるボリュームキー１１ｅと、ダンス教習映像８ｂを左右反転させるための反転キー１１ｈを備える。コントロールボックス１１は、練習場１内部に備えておく。
【００１４】
（スクリーン映像装置）
スクリーン３に映像を具現するためのスクリーン映像装置８は次のように構成する。比較的に投射距離が短いプロジェクター４を練習場１内部に具備し、スクリーン３は反射型スクリーンまたはリアスクリーンで構成してプロジェクターと結合構成する。図１に示すスクリーン３は、反射型スクリーンである。
また図３（ａ）と図３（ｂ）のように練習場１内部にスクリーンボックス８ａを具備して、その内部前面に透過型のスクリーン３を具備して、スクリーンボックス８ａ内部下端または上端にプロジェクター４を具備して、その上、下端に反射鏡８ｆを傾くように構成する。前記のような構造のスクリーン映像装置８は、図８（ａ）のように透過型のスクリーン３は、上、下二段で横:縦画面比４:３または１６:９画面を上、下方向で２段構成したり、８:３または３２:９画面や左、右方向で２段構成したり、４:６または１６:１８画面で構成したりすることができる。反射鏡８ｆは、プロジェクター４の投射方向を変えるための鏡である。投射方向を変えることにより反射鏡８ｆをスクリーン３の近くに設置できる分、スクリーンボックス８ａ全体をコンパクトなものにすることができる。
【００１５】
また、図８（ｂ）のようにＰＤＰやＬＣＤのように平面スクリーンディスプレイで構成された平面スクリーン構造で構成することもできる（図示を省略）。この場合、プロジェクター４やスクリーン３は必要ない。前記のような構成要素によって本発明の構成は、図１のように個人運動と個人ダンス演習ができる適当な面積の練習場１を取り揃えて、演習者７を基準にして前面には大型の鏡２を具備して、後面の一方にはスクリーン映像装置８を具備する。練習場１の左右には音響装置６と映像保存装置５を構成してコントロールボックス１１を演習場内に具備する。
【００１６】
このような本発明は、図１のように演習者７はスクリーン映像装置８でダンス教習映像８ｂをつければ、向う側鏡２にダンス教習映像８ｂが反射されて、反射教習映像８ｃが照らすようになって、それと同時に演習者７の演習姿７ａも鏡２に照らすようになる。すなわち、演習者７は、前面鏡２で反射教習映像８ｃと演習者７の演習姿７ａを同時に視聴することができるし、反射教習映像８ｃと演習者７の演習姿７ａの左右を等しく見るようになるので、音響装置６の音楽に合わせてダンス演習ができるものである。このような構成は前記のような構成論理内で次の実施例のように構成することができる。
【実施例１】
【００１７】
図５のように個人運動と個人ダンス演習ができる適当な大きさの練習場１を取り揃えて、練習場１の前面には大型の鏡２を具備して、大型の鏡２一方にスクリーン映像装置８を具備して、練習場１左右に音響装置６と映像保存装置５を具備して、コントロールボックス１１を演習場内に具備する。この時、鏡２の一方で見るダンス教習映像８ｂは、左右が変わるようになるので、左右反転装置１０によって映像の左右を反転させる。
【実施例２】
【００１８】
前記のような本構成は、図７のようにキオスク１４構造で構成することができる。すなわち、実例としてはダンス運動に適正な面積内部に前面に大型の鏡２を設置して、鏡２一方にスクリーン３とプロジェクター４、またはＰＤＰのような平面映像装置で構成されたスクリーン映像装置８を具備して、キオスク１４内部左、右端にそれぞれ音響装置６と映像保存装置５を構成して、コントロールボックス１１を具備する。すなわち、前記の実施例の構成をキオスク１４で構成することで別途の防音壁構造設置が必要ではなくて、規格生産が可能で生産価格を引き下げることができるし、製造者はキオスク１４単位で商品化が可能で、設置者は簡単にキオスク１４単位に移動して簡単に組立てるか、または設置することができるし、別途のインテリアー工事が必要ではなくなる。
【実施例３】
【００１９】
図５と図６のように演習者７を基準にして前面の鏡２内部にスクリーン映像装置８を結合して、鏡２とスクリーン映像装置８を一つの一体型で構成する。すなわち、スクリーン映像装置８を単板の鏡２内部に結合して、一つの単板構造の鏡２にスクリーン映像装置８を結合する。このような図６（ａ）のような構成は、図６（ｂ）のようにスクリーン映像装置８の上、下または左、右でそれぞれ分離された分離反射鏡２ｃを結合する時それぞれの分離反射鏡２ｃの反射角度が異なって、これを一つの反射角度で合わせるのに多くの時間と技術が必要で、それぞれの反射鏡の継ぎ目が現われて板鏡の一体感を低下することを防止することができる。このような単板構造の鏡２は、図８（ａ）や図８（ｂ）のような構造と結合することができるし、前記単板鏡２内部に反射型のスクリーン(図示せず)を構成して、その前面にプロジェクター４とスクリーンで構成されたスクリーン映像装置８を構成することができる。このような単板構造の鏡２は、反射角が一つで一体化されて映像と鏡の映った演習者の動作が鏡の映像と異質感なしに一つの映像に立体感あるように見える効果がある。
【実施例４】
【００２０】
図６（ａ）のように前記スクリーン映像装置８が結合された鏡２の前面、すなわち、スクリーン映像装置８の前面に半透明鏡９を付着して、スクリーン映像装置８が作動する時は、映像が見えて映像が作動しない時は全体が鏡になるように構成する。半透明鏡９は、一部は反射して一部は透過する鏡である。このような構成は、スクリーン映像装置８の映像が作動すれば半透明鏡９の裏面が明るくなって、半透明鏡９を通じて映像が見えるようになってスクリーン映像装置８の映像が消えれば、その裏面が暗くなって表面の半透明鏡９が鏡作用をするようになる。したがって、このような構成は必要によって映像と鏡を使っている途中必要によって全体を鏡で使用することができる。前記のように使用されるスクリーン映像装置８の構成は、図８（ａ）、図８（ｂ）のような構造を結合することができる。
【実施例５】
【００２１】
図５のように演習者７を基準にして裏面または横面の壁面に照明ランプ１３を具備して、これを音響センサー１３ａと連結して音楽拍子に従って照明ランプ１３の照明が変化するようにして、鏡２に同時に照らすように構成することができる。
【実施例６】
【００２２】
また、本発明は、映像保存装置５の映像を次のように構成する。すなわち、映像の全体画面は舞台または舞蹈場、浜辺、パーティー場所などを背景にしたダンス教習画面を入れて、練習場１の構造は演習者７を基準にして、前面の壁を大型鏡２で具備して、後面の壁に大型鏡２大きさ以上のスクリーン３とプロジェクター４、またはＰＤＰやＬＣＤなどをいくつか複合で構成されたスクリーン映像装置８の構造を具備して、演習者７の後面に大型で構成したスクリーンの背景映像が演習者７の前面の大型鏡２に照らすようにすることで演習者７はまるで実際舞台などの背景内にいることのような仮想現場の立体感効果を得ることができるように構成することができる。この場合、演習者７は、舞台または舞蹈場真ん中にあることのような効果があって、このような背景場面を趣向によって選択することができるし、必要によってダンス教習画面と同時にダンスをするか、または背景と音楽だけがある映像を選択して練習することができる。
【符号の説明】
【００２３】
１  練習場
２  鏡
３  スクリーン
４  プロジェクター
５  映像保存装置
６  音響装置
７  演習者
８  スクリーン映像装置
１０  左右反転装置
１１  コントロールボックス
【図１】
0005975599.tif 000002
【図２】
0005975599.tif 000003
【図３】
0005975599.tif 000004
【図４】
0005975599.tif 000005
【図５】
0005975599.tif 000006
【図６】
0005975599.tif 000007
【図７】
0005975599.tif 000008
【図８】
0005975599.tif 000009